(57)【要約】【課題】冷却効率が良好な電源ブロックを有する投射型表示装置を提供する。【解決手段】投写型表示装置の電源ブロック２２は、一端から他端に向けて電気素子が配置された回路基板４２と、前記回路基板を覆うように前記回路基板の形状に合わせて形成されたダクトカバー３４と、前記ダクトカバーに配設され、前記回路基板を冷却するための吸気ファン３６と、前記ダクトカバーに配設され、前記吸気ファンによって送気された空気を排気する排気部４０とを備えている。そして、前記ダクトカバーは、前記回路基板の一側面側および他側面側にそれぞれ開口部７２，７４を備え、前記開口部は、互いに対向した位置から外れた位置に形成されている。【選択図】図３
2007171392.tif 000002
【特許請求の範囲】
【請求項１】
電源ブロックと、この電源ブロックから電力の供給を受けて像を投写するための機器とを有する投写型表示装置であって、
前記電源ブロックは、
交流入力端子と、この交流入力端子から入力される交流電力を直流電力に変換する変換器と、前記変換器により変換された直流電力を出力する直流出力端子とが一端から他端に向けて配置された回路基板と、
前記回路基板を覆うように前記回路基板の形状に合わせて形成され、前記回路基板の一端および他端にそれぞれ隣接する一側および他側に近接する位置にそれぞれ開口部を有するダクトカバーと、
前記ダクトカバーに配設され、前記回路基板を冷却するための吸気ファンと、
前記ダクトカバーに配設され、前記吸気ファンによって送気された空気を排気する排気部と
を具備し、
前記ダクトカバーの前記開口部は、互いに対向した位置から外れた位置に形成されていることを特徴とする投写型表示装置。
【請求項２】
前記ダクトカバーは、
前記回路基板の一端に近接し、前記回路基板の一側に対向する一側面に前記開口部の一方が形成されているとともに、前記回路基板の他端に近接し、前記回路基板の他側に対向する他側面に前記開口部の他方が形成され、
前記開口部の一方に前記吸気ファンが配設されたときには前記開口部の他方に前記排気部が配設され、
前記開口部の一方に前記排気部が配設されたときには前記開口部の他方に前記吸気ファンが配設されていることを特徴とする請求項１に記載の投写型表示装置。
【請求項３】
前記開口部の１つは、前記変換器のうちの発熱する部材に近接する位置に形成され、
この開口部には、前記吸気ファンが配設されていることを特徴とする請求項１もしくは請求項２に記載の投写型表示装置。
【請求項４】
前記ダクトカバーは、前記開口部のうち前記吸気ファンが配設された前記開口部と同じ側面にさらに通風孔を備え、
この通風孔には、さらに他の吸気ファンが配設されていることを特徴とする請求項１ないし請求項３のいずれか１に記載の投写型表示装置。
【請求項５】
前記通風孔は、前記開口部のうち前記排気部が配設される前記開口部に対向して形成されていることを特徴とする請求項４に記載の投写型表示装置。
【請求項６】
前記通風孔は、前記開口部のうち前記排気部が配設される前記開口部に対向した位置から外れた位置に形成されていることを特徴とする請求項４に記載の投写型表示装置。
【請求項７】
前記回路基板には、この回路基板に任意の距離だけ離隔して配置され、伝熱作用を有する板状部材を備え、
前記板状部材には、前記回路基板に配置された前記変換器のうちの少なくとも一部の電気素子が近接または接触した状態で配置されていることを特徴とする請求項１ないし請求項６のいずれか１に記載の投写型表示装置。
【発明の詳細な説明】
【技術分野】
【０００１】
本発明は、スクリーンなどに像を投写するための投写型表示装置に関する。
【背景技術】
【０００２】
特許文献１には、電子機器の冷却装置について開示されている。これは、機器内の空気を排気ファンからダクトを通して排気口から排気するものである。
【０００３】
特許文献２には、底面に発熱部品が配置された電子装置の冷却装置について開示されている。これは、通気口から空気を導入して発熱部品に接触させた後、その空気を排気口から排気するものである。
【特許文献１】特開２００１−１４７０６１号公報
【特許文献２】特開２０００−２７７９５７号公報
【発明の開示】
【発明が解決しようとする課題】
【０００４】
特許文献１に開示された冷却装置は、電子機器内の空気を単に排気するものである。このため、電子機器内の電気素子を直接冷却させることはできない。
【０００５】
また、特許文献２に開示された冷却装置は、単に発熱部品の熱を放熱板と組み合わせて放熱している。しかし、通気口が底面の中央部にあり、排気口も発熱部品に近接した位置に配置されているので、他の部品が底面の端部等に存在していた場合、通気口から導入された気体が端部の部品に行き渡る前に排気されるおそれがある。
【０００６】
この発明は、このような課題を解決するためになされたものであり、その目的とするところは、発熱する部材に対する冷却効率が良好な電源ブロックを有する投射型表示装置を提供することにある。
【課題を解決するための手段】
【０００７】
上記課題を解決するために、この発明に係る投写型表示装置は、電源ブロックと、この電源ブロックから電力の供給を受けて像を投写するための機器とを備えている。そして、前記電源ブロックは、交流入力端子と、この交流入力端子から入力される交流電力を直流電力に変換する変換器と、前記変換器により変換された直流電力を出力する直流出力端子とが一端から他端に向けて配置された回路基板と、前記回路基板を覆うように前記回路基板の形状に合わせて形成され、前記回路基板の一端および他端にそれぞれ隣接する一側および他側に近接する位置にそれぞれ開口部を有するダクトカバーと、前記ダクトカバーに配設され、前記回路基板を冷却するための吸気ファンと、前記ダクトカバーに配設され、前記吸気ファンによって送気された空気を排気する排気部とを具備し、前記ダクトカバーの前記開口部は、互いに対向した位置から外れた位置に形成されていることを特徴とする。  
吸気ファンにより送風することによって、特に発熱する整流素子やコイル等を有する変換器を効率的に冷却することができる。また、開口部が互いに対向した位置から外れた位置に形成されているので、一方の開口部の吸気ファンから送気した空気を、回路基板の一端から他端の隅々まで行き渡らせた後、排気することができる。したがって、回路基板に配設された電気素子を有する変換器を、効率的に冷却することができる。
【発明の効果】
【０００８】
この発明によれば、発熱する部材に対する冷却効率が良好な電源ブロックを有する投射型表示装置を提供することができる。
【発明を実施するための最良の形態】
【０００９】
以下、図面を参照しながらこの発明を実施するための最良の形態について説明する。ここでは、ビデオプロジェクタ装置（投写型表示装置）の一実施の形態について図１ないし図５を用いて説明する。  
図１に示すビデオプロジェクタ装置１０は、略直方体状の筐体１２内に、各種機器がそれぞれユニット化やブロック化などされた状態で配設されている。筐体１２は、ボトムカバー１４と、トップカバー１６とを備えている。図２に示すように、ボトムカバー１４は、略矩形状に形成された基部１４ａと、この基部１４ａの縁部からそれぞれ立設され、トップカバー１６が係合等によって着脱可能に装着される立設部１４ｂとを備えている。この立設部１４ｂには、後述する第１および第２の吸気ファン３６，３８等や排気ファンな等の複数のファンが所定の位置に配置される。
【００１０】
図２に示すように、ボトムカバー１４の基部１４ａには、映像をスクリーン（図示せず）などに投写するのに必要な機器（光学系）が所定の位置に配置されている。図２中のボトムカバー１４の手前側には、電源ブロック２２が配設されている。このボトムカバー１４の略中央やや左側には、白色光を出力可能な光源ユニット２４が配設されている。この光源ユニット２４には、カラーフィルタ２６が隣接して配置されている。このカラーフィルタ２６には、画像生成装置２８が隣接して配置されている。この画像生成装置２８には、投写光学系３０が隣接して配置されている。電源ブロック２２から供給される電力によって画像生成装置２８や投写光学系３０等の光学系が動作される。このため、光源ユニット２４から発せられた光はカラーフィルタ２６を通して画像生成装置２８によって画像情報を形成して、投写光学系３０から外部に像が出力される。すなわち、スクリーンなどに像が投写される。なお、図示しないが、このような光学系以外にも、画面機能、制御機能、音響機能、冷却機能などを果たす部材やユニットがボトムカバー１４に組み込まれている。
【００１１】
図３および図４に示すように、電源ブロック２２は、電源ユニット３２と、ダクトカバー３４と、第１および第２の吸気ファン（送気ファン）３６，３８と、排気口４０とを備えている。  
図５（Ａ）ないし図５（Ｃ）に示すように、電源ユニット３２は、略矩形状の回路基板４２を備えている。この回路基板４２には、交流入力端子４４と、交流を直流に変換する変換器４６と、直流出力端子４８とが一端４２ａから他端４２ｂに向かって順に配設されている。
【００１２】
交流入力端子４４には、交流電圧が入力される。変換器４６は、交流電源整流部（ブリッジ整流器）５２と、コイル５４と、平滑回路５６とを備えている。交流電源整流部５２は、例えばブリッジダイオード等、交流入力端子４４に入力された交流電圧から直流電圧を取り出す整流素子５２ａを備えている。この交流電源整流部５２の整流素子５２ａは発熱する。このため、この整流素子５２ａは、熱を放出するための放熱板５２ｂに固定されている。この放熱板５２ｂは、回路基板４２に立設された略平板状に形成されている。この放熱板５２ｂには、例えばアルミニウム等、熱伝導性の高い例えば金属材などが使用されている。
【００１３】
そして、この整流素子５２ａから出力された直流電圧は、コイル５４のインダクタンスによって直流電源の出力中の交流成分を減少させて平滑回路５６に直流電源を供給する。このとき、このコイル５４は電流が流れることによって発熱する。
【００１４】
平滑回路５６は、直流電源の出力中の交流成分をさらに減少させる。そして、その電力を直流出力端子４８に供給する。このため、この出力端子４８から直流電源が例えば画像生成装置２８等に供給される。特に、この平滑回路５６の一部の電気素子５６ａは、回路基板４２の下側に固定されている。このため、回路基板４２のスペースを有効利用することができるとともに、回路基板４２を表面および裏面の両方使用しているので、回路基板４２自体を小さく形成することができる。なお、平滑回路５６の電気素子５６ａや他の電気素子も、整流素子５２ａやコイル５４と同様に、電流が流れることによって発熱する。
【００１５】
さらに、この回路基板４２には、その下側に所定の間隔Ｃをおいて平行に放熱板６０が固定されている。この放熱板６０は略矩形状の平板状に形成され、脚部６０ａによって回路基板４２に接続されている。この放熱板６０には、例えばアルミニウム等、熱伝導性の高い例えば金属材などが使用されている。この放熱板６０の上面には、高熱伝導性絶縁シート等、熱伝導性の高い絶縁シート６２が固定されている。すなわち、回路基板４２の裏面に配設された電気素子５６ａに近接または接触して熱を伝達するように、熱伝導性の高い絶縁シート６２が配設されている。
【００１６】
図３および図４に示すダクトカバー３４は、回路基板４２を略密閉するように形成されている。このダクトカバー３４は、ボトムカバー１４の基部１４ａに対して例えば嵌合やネジ締結により着脱可能に固定される。ここでは、回路基板４２が略矩形状に形成され、かつ、各種電気素子が回路基板４２に配設されているとともに放熱板６０が回路基板４２に平行に固定されている。このため、このダクトカバー３４は、略直方体状に形成されている。このダクトカバー３４は、概略的には、回路基板４２の一端４２ａ（図５（Ｃ）参照）に近接する一端面３４ａと、回路基板４２の他端４２ｂに近接する他端面３４ｂと、回路基板４２の一側４２ｃに近接する一側面３４ｃと、回路基板４２の他側４２ｄに近接する他側面３４ｄと、一端面３４ａ、他端面３４ｂ、一側面３４ｃおよび他側面３４ｄの上部を覆う上面３４ｅとにより形成されている。なお、このダクトカバー３４は、熱伝導性の高いアルミニウムなどの金属材で形成されていることが好適である。
【００１７】
図３に示すように、このダクトカバー３４には、回路基板４２の一端４２ａの一側４２ｃに近接する位置に第１の開口部７２が形成されている。すなわち、ダクトカバー３４の一端面３４ａに隣接する一側面３４ｃには、第１の開口部７２が形成されている。この第１の開口部７２は、ボトムカバー１４の立設部１４ｂに近接する位置に形成されている。この第１の開口部７２には、第１の吸気ファン３６が配設されている。このため、フレッシュな外気を第１の吸気ファン３６からダクトカバー３４の内部に吸気することができる。
【００１８】
このとき、図５（Ｂ）に示すように、第１の吸気ファン３６は、整流素子５２ａやコイル５４に直接送気する位置に配設されている。すなわち、第１のファン３６は、整流素子５２ａやコイル５４に第１の吸気ファン３６の羽根部が対向する位置に配設されている。このため、整流素子５２ａやコイル５４を効率的に冷却することができる。
【００１９】
図４に示すように、ダクトカバー３４には、さらに、回路基板４２の他端４２ｂの他側４２ｄに近接する位置に第２の開口部７４が形成されている。すなわち、ダクトカバー３４の他端面３４ｂに隣接する他側面３４ｄには、第２の開口部７４が形成されている。この第２の開口部７４には、排気口４０が配設されている。このため、第１の吸気ファン３６で吸気した空気をダクトカバー３４の外部に排出することができる。
【００２０】
図３および図４に示すように、ダクトカバー３４には、さらに、回路基板４２の他端４２ｂの一側４２ｃに近接する位置に通孔７６が形成されている。すなわち、ダクトカバー３４の他端面３４ｂに隣接する一側面３４ｃには、通孔７６が形成されている。この通孔７６は、ボトムカバー１４の立設部１４ｂに近接する位置に形成されている。この通孔７６には、第２の吸気ファン３８が配設されている。このため、フレッシュな外気を第２の吸気ファン３８からダクトカバー３４の内部に吸気することができる。
【００２１】
このとき、第２の吸気ファン３８は、平滑回路５６の電気素子に直接送気する位置に配設されている。すなわち、第２の吸気ファン３８は、平滑回路５６の電気素子に第２の吸気ファン３８の羽根部が対向する位置に配設されている。換言すると、通孔７６の位置は、第２の開口部７４に対向する位置や、第２の開口部７４に対向する位置から外れた位置のどちらにある場合も好適である。このため、平滑回路５６の電気素子を効率的に冷却することができる。  
なお、第１および第２の吸気ファン３６，３８の駆動電力は、電源ユニット３２から供給される。
【００２２】
次に、この実施の形態に係るビデオプロジェクタ装置１０の作用について説明する。  
ビデオプロジェクタ装置１０のスイッチ（図示せず）を入れることにより、電源ユニット３２の交流入力端子４４に交流電力が入力される。整流素子５２ａによって交流が直流に変換される。整流素子５２ａからコイル５４に直流電流が流れることによって、交流成分が除去される。さらに、このコイル５４を通した電流が平滑回路５６を流れることによって、交流成分がさらに除去される。このように、交流入力端子４４に入力された交流電力が変換器４６により直流電力に変換されて、直流出力端子４８から直流電力が出力される。
【００２３】
すると、第１および第２の吸気ファン３６，３８がその直流電力によって回転する。すると、第１および第２のファン３８の回転によって、ダクトカバー３４内の電源ユニット３２に吸気される。すなわち、電源ユニット３２に向かって送風される。
【００２４】
このとき、第１のファン３６の羽根に対向する位置に配置されたコイル５４や整流素子５２ａはそれぞれ発熱するが、第１のファン３６からの送風によって冷却され続ける。すなわち、コイル５４は、第１のファン３６からの送風によって直接冷却される。さらに、整流素子５２ａは、整流素子５２ａと放熱板５２ｂとの両者が送風によって冷却される。このとき、整流素子５２ａから発する熱は、第１のファン３６からの送風によって直接冷却されるとともに、一部が放熱板５２ｂに伝熱した後、放熱板５２ｂへの送風によって冷却され続ける。
【００２５】
特に、コイル５４や整流素子５２ａへの送風は、外気をそのまま取り込んだものであるので、最も冷却効率が高く、これらコイル５４や整流素子５２ａを効率的に冷却することができる。
【００２６】
そして、第１の吸気ファン３６からの送風により、一部はコイル５４や整流素子５２ａを冷却するが、大半は、第１の吸気ファン３６に対向するダクトカバー３４の他側面３４ｄの内壁により反射する。このとき、第１の吸気ファン３６から送風され続けているので、ダクトカバー３４の他側面３４ｄの内壁に反射した空気は、回路基板４２の他端４２ｂに向かって流れる。したがって、変換器４６の平滑回路５６を冷却しながら回路基板４２の他端４２ｂに向かって流れる。
【００２７】
さらに、回路基板４２と、この回路基板４２に平行に配置された放熱板６０との間の空間Ｃにも、第１の吸気ファン３６によって送風される。このときの送風は、第１の吸気ファン３６に対向するダクトカバー３４の内壁により反射する。このとき、第１の吸気ファン３６から送風され続けているので、ダクトカバー３４の他側面３４ｄの内壁に反射した空気は、回路基板４２の他端４２ｂに向かって流れる。したがって、回路基板４２の下側に装着された電気素子５６ａも第１の吸気ファン３６による送風による空気にさらされる。このため、回路基板４２の下側の電気素子５６ａも冷却される。
【００２８】
そして、第１の吸気ファン３６から送られた空気は、ダクトカバー３４の他端面３４ｂの内壁に反射する。このとき、第１の吸気ファン３６から送風され続けているので、ダクトカバー３４の他端面３４ｂの内壁に反射した空気は、第２の開口部７４の排気口４０から排出（排気）される。
【００２９】
また、第２の吸気ファン３８の羽根に対向する位置には、平滑回路５６が配設されている。このため、発熱する平滑回路５６の電気素子は、第２のファン３８からの送風によって冷却され続ける。すなわち、平滑回路５６は、第２のファン３８からの送風によって直接冷却される。特に、この送風は、外気をそのまま取り込んだものであるので、最も冷却能が高く、これら平滑回路５６の電気素子を効率的に冷却することができる。
【００３０】
そして、第２の吸気ファン３８からの送風により、一部は平滑回路５６の電気素子を冷却するが、大半は、第２の吸気ファン３８に対向するダクトカバー３４の他側面３４ｄの内壁により反射する。しかし、上述した第１の吸気ファン３６からも送風され続けているので、第２の吸気ファン３８による送風は、第１の吸気ファン３６からの送風と混合されてダクトカバー３４の他端面３４ｂの内壁に向かって流れる。したがって、第２のファン３８からの送風は、第１のファン３６からの送風と混合されながら変換器４６の平滑回路５６を冷却しつつ回路基板４２の他端４２ｂに向かって流れる。
【００３１】
そして、第１の吸気ファン３６からの送風と混合された第２の吸気ファン３８からの送風は、ダクトカバー３４の他端面３４ｂの内壁に反射する。このとき、第１および第２の吸気ファン３６，３８から送風され続けているので、ダクトカバー３４の他端面３４ｂの内壁に反射した空気は、第２の開口部７４の排気口４０から排出（排気）される。したがって、第１の吸気ファン３６からの送風は、第２の吸気ファン３８からの送風と混合されることにより冷やされた後、排出される。
【００３２】
以上説明したように、この実施の形態によれば、以下の効果が得られる。  
第１の吸気ファン３６により直接外気を送風することによって、特に発熱する整流素子５２ａやコイル５４を効率的に冷却することができる。また、第１の開口部７２をダクトカバー３４の一端面３４ａに隣接する一側面３４ｃに配置し、第２の開口部７４をダクトカバー３４の他端面３４ｂに隣接する他側面３４ｄに配置した。このため、第１の開口部７２の第１の吸気ファン３６から送気した空気を、回路基板４２の一端から他端の隅々まで行き渡らせた状態で排気することができる。すなわち、冷却用気体がダクトカバー３４内の隅々まで行き渡る。したがって、回路基板４２に配設された各種素子を、効率的に冷却することができる。
【００３３】
さらに、第２の開口部７４に補助的に第２の吸気ファン３８を配設することによって、冷却能を向上させることができる。また、第２の吸気ファン３８を第１の吸気ファン３６と合わせて用いることによって、排気口４０から排気する温度を、第１の吸気ファン３６のみを用いた場合に比べて下げることができる。このため、第１の吸気ファン３６のみを用いた場合に比べて、電源ブロック２２以外の他の部材を排気口４０に対し、より近接した状態で配置することができる。そうすると、ビデオプロジェクタ装置１０の小型化を図ることができる。
【００３４】
回路基板４２に平行に放熱板６０を配置している。このため、この放熱板６０で発熱素子から発する熱を吸収しつつ、その熱を放熱することができる。したがって、発熱を分散させることができるので、回路基板４２の素子に熱が篭ることを防止することができる。また、回路基板４２の上面および下面にそれぞれ電気素子が配置されているので、回路基板４２の一面のみを使用する場合よりも、回路基板４２の要する面積を減少させることができる。
【００３５】
なお、この実施の形態では、吸気ファン３６，３８をダクトカバー３４の一端面３４ａと他端面３４ｂとに近接する一側面３４ｃの位置に２つ配置することについて説明した。しかし、これは、少なくとも一端面３４ａに近接する位置にのみ配置されていれば、回路基板４２の一端４２ａから他端４２ｂにわたって空気の流れを生じさせることができるので、回路基板４２に配置された各種素子を冷却することが可能である。すなわち、ダクトカバー３４の一端面３４ａに近接する一側面３４ｃに吸気ファン３６を配置し、この吸気ファン３６から、ダクトカバー３４の他端面３４ｂに近接する他側面３４ｄに配置された排気口４０から気体（空気）が抜ける。このため、気体が回路基板４２の一端４２ａから他端４２ｂの全体的に流れる、回路基板４２上の各種素子が効率的に冷却される。このとき、特に発熱する整流部５２やコイル５４に吸気ファン３６から直接送気される。このため、特に冷却したい部位を確実に冷却することができる。すなわち、この実施の形態における第２の吸気ファン３８は、回路基板４２に配設された各種素子の冷却効率を向上させるために補助的に使用することができる。
【００３６】
また、この実施の形態では、排気口４０が単に流体を外部に流すように開口されていることについて説明したが、通孔７６には、排気口４０の代わりに排気ファン（図示せず）が設けられていることも好適である。この排気ファンの駆動電力は、電源ユニット３２から供給される。
【００３７】
また、この実施の形態では、ボトムカバー１４の立設部１４ｂに近接する第１の開口部７２に第１のファン３６を配置することについて説明したが、第２の開口部７４に第１のファン３６を配置し、第１の開口部７２に排気口４０を配置することも好適である。これは、第２の開口部７４もボトムカバー１４の立設部１４ｂに近接する位置に形成されている場合に特に好適である。
【００３８】
これまで、一実施の形態について図面を参照しながら具体的に説明したが、この発明は、上述した実施の形態に限定されるものではなく、その要旨を逸脱しない範囲で行なわれるすべての実施を含む。
【図面の簡単な説明】
【００３９】
【図１】本発明の一実施の形態に係るビデオプロジェクタ装置を示す概略的な斜視図。
【図２】一実施の形態に係るビデオプロジェクタ装置のボトムカバーに、像を投写するための機器が配置された状態を示す概略的な斜視図。
【図３】一実施の形態に係るビデオプロジェクタ装置の電源ブロックを、電源ユニットをボトムカバーに配置した状態でダクトカバーを取り外した状態をボトムカバーの外側から観察した状態を示す概略的な斜視図。
【図４】一実施の形態に係るビデオプロジェクタ装置の電源ブロックを、電源ユニットをボトムカバーに配置した状態でダクトカバーを取り外した状態をボトムカバーの内側から観察した状態を示す概略的な斜視図。
【図５】一実施の形態に係るビデオプロジェクタに配置される電源ブロックの電源ユニットを示し、（Ａ）は回路基板の一端および一側面の斜め上方から観察した状態の概略的な斜視図、（Ｂ）は回路基板の一側面側から観察した状態の概略的な平面図、（Ｃ）は回路基板の上方から観察した状態の概略的な上面図。
【符号の説明】
【００４０】
Ｃ…間隔、１４…ボトムカバー、１４ａ…基部、１４ｂ…立設部、２２…電源ブロック、３２…電源ユニット、３４…ダクトカバー、３４ａ…一端面、３４ｂ…他端面、３４ｃ…一側面、３４ｄ…他側面、３４ｅ…上面、３６…第１の吸気ファン、３８…第２の吸気ファン、４０…排気口、４２…回路基板、４２ａ…一端、４２ｂ…他端、４２ｃ…一側、４２ｄ…他側、４４…交流入力端子、４６…変換器、４８…直流出力端子、５２…交流電源整流部、５２ａ…整流素子、５２ｂ…放熱板、５４…コイル、５６…平滑回路、６０…放熱板、６０ａ…脚部、６２…絶縁シート、７２…第１の開口部、７４…第２の開口部、７６…通孔
【図１】
2007171392.tif 000003
【図２】
2007171392.tif 000004
【図３】
2007171392.tif 000005
【図４】
2007171392.tif 000006
【図５】
2007171392.tif 000007